(57)【要約】      （修正有）【課題】略平坦な表示枠を持った位置表示灯による視認性を向上した防災装置を提供する。【解決手段】防災装置として機能する防災機器収納箱１０のパネル面に設けられた発信機１２と音響孔１６を囲む額縁表示枠２８ａを用いた位置表示灯１４が設けられる。位置表示灯は、防災機器収容箱のパネル面に沿った略平坦な額縁表示枠を有し、額縁表示枠は発信機と音響孔を囲むように配置される。位置表示灯の額縁表示枠は拡散透光部材であり、額縁表示枠の背後に設けたＬＥＤ３２からの光により拡散透光部材を照明する。【選択図】図１
2020119069.tif 000002
【特許請求の範囲】
【請求項１】
表示灯の表示枠は、発信機と音響孔を囲むように、額縁状、梯子状又は長円環状に形成されたことを特徴とする防災装置。
【請求項２】
位置表示灯の表示枠は、並べて配置した発信機と音響孔を挟むよう形成されたことを特徴とする防災装置。
【請求項３】
請求項２記載の防災装置に於いて、前記表示灯の長手方向の長さは、前記発信機と前記音響孔の配置領域の並び方向の長さと略同一とすることを特徴とする防災装置。
【請求項４】
請求項１又は２記載の防災装置に於いて、前記表示灯の前記表示枠は、前記発信機と前記音響孔の配置領域を除く配置面の略全面を埋めるように形成されたことを特徴とする防災装置。
【発明の詳細な説明】
【技術分野】
【０００１】
本発明は、発信機、表示灯及び音響孔を備え、火災時などに操作して異常発生を知らせる防災機器収容箱、消火栓装置等の防災装置に関する。
【背景技術】
【０００２】
従来、防災機器収容箱には、発信機と表示灯（この場合、位置表示灯）が設けられ、更に、内蔵したベルやブザーに対応して音響孔が設けられている。
【０００３】
位置表示灯は赤色表示灯を使用し、常時点灯して防災機器収容箱の位置を示して、非常の際に周囲の人に発信機の場所を認識させる。発信機は、発信機カバーに配置された保護板を押し込むことにより押釦スイッチをオン操作し、受信機へ火災通報信号を送信して警報させる。受信機は発信機からの火災通報信号を受信して火災警報を出力した場合、火災通報信号を送信した防災機器収容箱に地区音響信号を送出し、これにより防災機器収容箱のベルやブザーを鳴動して火災警報音を出力させる。
【０００４】
ところで、従来の防災機器収容箱に設けられた位置表示灯は、側方からの視認性を向上するために、パネル面から前方に表示カバーが数センチ程度突出した赤色表示灯を設けているが、近年にあっては、複数のＬＥＤを分布配置した平坦な発光部材を用いたフラット型の位置表示灯が普及している。またフラット型の位置表示灯を、発信機を囲むように配置し、側方からの視認性を確保しつつ、前方への突出を抑えて物が当たらないようにして破損を防止し、更に、意匠性を高めるようにしている。
【０００５】
また、このように発信機、位置表示灯、音響孔を備える防災装置として、消火栓装置も知られている。
【先行技術文献】
【特許文献】
【０００６】
【特許文献１】特開平９−１０２０８５号公報
【特許文献２】意匠登録第１００５２８９号公報
【特許文献３】特開２０１８−０２２５４０号公報
【特許文献４】意匠登録第１４９３２７９号公報
【特許文献５】意匠登録第１４９３２８０号公報
【特許文献６】特開２０１６−０５９６４７号公報
【発明の概要】
【発明が解決しようとする課題】
【０００７】
しかしながら、このような従来のフラット型の位置表示灯が設けられた防災装置にあっては、位置表示灯の表示枠が例えば発信機の外周を囲むリング状の表示枠としているが、表示面積が比較的小さいことから設置場所によっては視認性が十分でない場合があった。
【０００８】
本発明は、表示灯による視認性を向上させる防災装置を提供することを目的とする。
【課題を解決するための手段】
【０００９】
（囲んで配置した表示枠）
本発明は、防災装置であって、
位置表示灯の表示枠は、発信機と音響孔を囲むように、額縁状、梯子状、又は長円環状に形成される。
【００１０】
（並べて配置した表示枠）
本発明の別の形態にあっては、防災装置であって、
位置表示灯の表示枠は、並べて配置した発信機と音響孔を平行に挟むよう形成される。ここで、表示灯の長手方向の長さは、発信機と音響孔の配置領域の並び方向の長さと略同一とする。
【００１１】
（全面配置の表示枠）
また、位置表示灯の表示枠は、発信機と音響孔の配置領域を除く配置面の略全面を埋めるように形成される。
【発明の効果】
【００１２】
（囲んで配置した表示枠の効果）
本発明は、防災装置であって、位置表示灯の表示枠は、発信機と音響孔を囲むように、額縁状、梯子状、又は長円環状に形成されるため、発信機と音響孔が配置されたパネル面の空きスペースを有効に活用した十分に広い表示面積を確保して視認性を向上することができる。
【００１３】
（並べて配置した表示枠による効果）
また、位置表示灯の表示枠は、発信機と前記音響孔を平行に挟むよう形成されるため、表示面積を十分に確保し、特に側方からの視認性を向上できる。
【００１４】
また、表示灯の長手方向の長さは、発信機と音響孔の配置領域の並び方向の長さと略同一とすることで、例えば、表示灯、音響孔、発信機を一列に並べて配置する場合に比べて並び方向の寸法を小さくすることができる。
【００１５】
（全面配置の表示枠による効果）
また、位置表示灯の表示枠は、発信機と音響孔の配置領域を除く配置面の略全面を埋めるように形成されたため、発信機と音響孔の配置位置を除く配置面が表示領域となり、一層広い表示面積が確保されることで、視認性が向上し、また、表示面積が広いことで、夜間等に設置場所での補助照明としての利用も可能となる。
【図面の簡単な説明】
【００１６】
【図１】本発明の防災装置の例として額縁表示枠を用いた位置表示灯を配置した防災機器収容箱の第１実施形態を示した説明図
【図２】図１の防災機器収容箱の変形例を示した説明図
【図３】防災機器収容箱の分解構造を示した説明図
【図４】図１における音響孔と位置表示灯の内部構造を示した断面図
【図５】カバープレートの外縁に沿って額縁表示枠を用いた位置表示灯を配置した防災機器収容箱の第２実施形態を示した説明図
【図６】カバープレートの外縁に沿って梯子状表示枠を用いた位置表示灯を配置した防災機器収容箱の第３実施形態を示した説明図
【図７】発信機と音響孔を挟んで表示枠を並べた位置表示灯を配置し防災機器収容箱の第４実施形態を示した説明図
【図８】発信機と音響孔の配置領域を除く配置面領域を表示枠で概ね埋める位置表示灯を配置した防災機器収容箱の第５実施形態を示した説明図
【図９】発信機と音響孔を囲んで位置表示灯を配置した消火栓装置の実施形態を示した説明図
【発明を実施するための形態】
【００１７】
本発明の実施形態として、位置を表示する表示灯、火災警報音を出力するための音響孔、スイッチ操作により火災通報信号を出力する発信機を備えた防災機器収容箱を例にとって説明する。
【００１８】
図１は本発明の防災装置の例として額縁表示枠を用いた位置表示灯を配置した防災機器収容箱の第１実施形態を示した説明図、図２は防災機器収容箱の分解構造を示した説明図である。なお、防災機器収容箱は、単に、機器収容箱という場合がある。
【００１９】
［実施形態の基本概念］
本実施形態の基本概念は、防災装置として機能する防災機器収容箱１０であって、発信機１２と音響孔１６の配置位置を超えるように位置表示灯１４が設けられ、例えば防災機器収容箱１０におけるカバープレート１０ａのパネル面（配置面）に設けられた発信機１２と音響孔１４の外側を囲む額縁表示枠２８ａを用いた位置表示灯１４が配置され、これによってパネル面の広い範囲に分布する大きな面積の表示領域を確保することとなり、視認性を大きく向上させることができる。また、音響孔１６と音響孔１６の周囲を位置表示灯１４により囲むことで、新たな意匠性が得られ、結果として意匠性を高めることができる、というものである。
【００２０】
また、位置表示灯１４は、防災機器収容箱１０のパネル面に沿った略平坦な例えば額縁表示枠２８ａを有し、額縁表示枠２８ａは拡散透光部材であり、拡散透光部材を照明する光源として機能するＬＥＤ３２が額縁表示枠２８ａの背後に設けられ、位置表示灯１４の表示部は防災機器収容箱１０のパネル面に沿った略平坦（フラット）な表示枠となり、前方及び側方からの視認性を向上させる表示面積の大きな表示パターンを容易に形成することが可能となる。以下、詳細に説明する。
【００２１】
［防災機器収容箱の第１実施形態］
（防災機器収容箱の概要）
図１に示すように、第１実施形態の防災機器収容箱１０は、壁面等に設置した場合に露出されるカバープレート１０ａの露出面（配置面）の下側に発信機１２が配置され、その上側に音響孔１６が配置され、発信機１２及び音響孔配置領域１６ａの周囲を囲むように額縁表示枠２８ａを用いた位置表示灯１４が配置される。
【００２２】
各音響孔１６の開口形状、大きさ、数、配列は音の出力性能、拡散性能、意匠性等を考慮して適宜選択、調整されている。
【００２３】
発信機１２は、その中央に、内蔵した押釦スイッチ２０をオン操作するため透明アクリル板等を用いた保護板１８と、内部に電話ジャックを配置した保守扉２２を設けている。
【００２４】
また、図１の額縁表示枠２８ａを、図２（Ａ）に示す上下の額縁表示枠２８ａ−１，２８ａ−２、又は図２（Ｂ）に示す左右の額縁表示枠２８ａ−１，２８ａ−２に分離しても良い。即ち、位置表示灯１４は、発信機１２と音響孔１６を完全に囲む必要はなく、概ね囲んでいれば良い。
【００２５】
図３に示すように、防災機器収納箱１０は、カバープレート１０ａと箱形の本体１０ｂで構成され、カバープレート１０ａに取付けられた位置表示灯１４の背後となる本体１０ｂ内の相対した位置にはブザーやベル等の音響装置２４が配置され、受信機からの地区音響信号により音響装置２４が鳴動されると、その火災警報音を図１に示した音響孔１６から出力するようにしている。
【００２６】
（位置表示灯の構造）
図４は図１における音響孔と位置表示灯の内部構造を示した断面図であり、図４（Ａ）に図１のＡ−Ａ断面を示し、図４（Ｂ）に図１のＢ−Ｂ断面を示す。
【００２７】
図４（Ａ）に示すように、カバープレート１０ａに形成された音響孔１６の背後となる本体１０ｂには音響装置２４が配置され、音響装置２４からの音は音響孔１６を通って外部に出力される。
【００２８】
図３（Ｂ）に示すように、位置表示灯１４は、カバープレート１０ａのパネル面に額縁表示枠２８ａを配置しており、額縁表示枠２８ａが配置されたカバープレート１０ａには複数の透光孔２６が形成される。カバープレート１０ａの内側には回路基板３４が配置され、透光孔２６に相対した回路基板３４の位置には光源として機能するＬＥＤ３２が配置されている。
【００２９】
額縁表示枠２８ａには赤色に発光する拡散透光部材を使用している。拡散透光部材はＬＥＤ３２による点光源からの光を入射して面発光に変換する部材であり、回路基板３４に配置したＬＥＤ３２の背光照明による光を、拡散透光部材を用いた額縁表示枠２８ａに入射して位置表示灯１４の全面を略均一に赤色に面発光させる。
【００３０】
このように第１実施形態にあっては、発信機１２及び音響孔１６の周囲を囲むように額縁表示枠２８ａを用いた位置表示灯１４が配置されることで、パネル面の広い範囲に大きな面積の表示領域を確保し、前方及び側方からの視認性を大きく向上させることができ、また、発信機１２と音響孔１６の周囲を額縁表示枠２８ａを用いた位置表示灯１４により囲むことで明確な輪郭が付与され、新たな意匠性が得られ、意匠性を高めることができる。
【００３１】
ここで、図１の額縁表示枠２８ａは、図２（Ｃ）に示すように、全体として長円環状の額縁表示枠２８ａ−３としても良く、これを図２（Ａ）（Ｂ）の例のように、例えば上下、左右に分離しても良い。このように長円環状の額縁表示枠２８ａ−３とすることで、丸形の発信機１２に合わせて意匠上の統一感を得ることができる。
【００３２】
なお、例えば額縁表示枠の上部を図１のように矩形状、下部を図２（Ｃ）のように円（半円）状というように組み合わせても良い。
【００３３】
［防災機器収容装置の第２実施形態］
図５はカバープレートの外縁に沿って額縁表示枠を用いた位置表示灯を配置した防災機器収容箱の第２実施形態を示した説明図である。
【００３４】
図５に示すように、本実施形態は、カバープレート１０ａの外周縁に沿って内側に配置した発信機１２と音響孔１６を囲むように額縁表示枠２８ｂを用いた位置表示灯１４が配置される。
【００３５】
位置表示灯１４の額縁表示枠２８ｂは、カバープレート１０ａの外周縁に沿って所定幅に配置されることで、図１に示した額縁表示枠２８ａに比べ、広い分布と表示面積を確保することができ、これによって更に高い視認性を確保することができる。それ以外の構成及び機能は図１の第１実施形態と同じになることから、その説明は省略する。
【００３６】
［防災機器収容装置の第３実施形態］
図６はカバープレートの外縁に沿って梯子状表示枠を用いた位置表示灯を配置した防災機器収容箱の第３実施形態を示した説明図である。
【００３７】
図６に示すように、本実施形態は、カバープレート１０ａの外周縁に沿って内側に配置した発信機１２と音響孔１６を個別に囲むように梯子状表示枠２８ｃを用いた位置表示灯１４が配置される。梯子状表示枠２８ｃは、図４に示した額縁表示枠２８ｂの発信機１２と音響孔１６との間に横方向に表示枠を追加した形状であり、その分、表示枠の分布と表示面積が増加し、更に視認性を高めることができる。
【００３８】
また、梯子状表示枠２８ｃにより発信機１２と音響孔１６の周囲に個別に輪郭が付与され、意匠性を高めることができる。それ以外の構成及び機能は図１の第１実施形態と同じになることから、その説明は省略する。
【００３９】
［防災機器収容装置の第４実施形態］
図７は発信機と音響孔を挟んで表示枠を並べた位置表示灯を配置した防災機器収容箱の第４実施形態を示した説明図である。
【００４０】
図７に示すように、本実施形態は、カバープレート１０ａのパネル面に上下に並べて配置された発信機１２と音響孔１６の両側に、発信機１２と音響孔１６を左右から挟むように、一対の縦棒状のストレート表示枠２８ｄを平行に配置することで、位置表示灯１４が構成される。
【００４１】
壁面に設置された防災機器収容箱１０は、主に側方から視認されるものであり、これに対応して本実施形態の位置表示灯１４は、発信機１２と音響孔１６を左右から挟む垂直方向に一対のストレート表示枠２８ｄが配置されており、側方及び前方から見た表示枠の分布と表示面積か確保され、水平方向（左右方向）に横棒状の表示枠部が配置されていなくとも、本来必要とされる視認性を損なうことはなく、簡単な表示枠の配置により遠方からの視認性を確保することができる。
【００４２】
また、位置表示灯１４の長手方向（図７における縦方向）の長さは、発信機１２と音響孔１６の配置領域の並び方向の長さと略同一とすることで、例えば、表示灯、音響孔、発信機を一列に並べて配置する場合に比べて並び方向の寸法を小さくすることができる。
【００４３】
それ以外の構成及び機能は図１の第１実施形態と同じになることから、その説明は省略する。
【００４４】
なお、本実施形態にあっては、発信機１２と音響孔１６を左右から挟むように、一対のストレート表示枠２８ｄを垂直方向に配置しているが、発信機１２と音響孔１６を上下から挟むように、一対の横棒状のストレート表示枠を水平方向に配置してもよい。更に、発信機１２と音響孔１６を挟んで上下に配置した一対のストレート表示枠に加え、発信機１２と音響孔１６の間にストレート表示枠を配置した３本構成としても良い。
【００４５】
［防災機器収容装置の第４実施形態］
図８はカバープレート１０ａの発信機と音響孔の配置領域を除く配置面領域（空き領域）を表示枠で概ね埋める位置表示灯を配置した防災機器収容箱の第５実施形態を示した説明図である。
【００４６】
図８に示すように、本実施形態は、カバープレート１０ａのパネル面に上下並べてに配置された発信機１２と音響孔１６の配置部分を除く空き領域の概ね全域を埋めるように全面表示枠２８ｅを配置することで、位置表示灯１４が構成される。
【００４７】
即ち、位置表示灯１４の全面表示枠２８ｅは、カバープレート１０ａと同じ略平面形状であり、その中に発信機用開口３０ａと音響孔用開口３０ｂを開口形成しており、全面表示枠２８ｅが配置されたカバープレート１０ａの裏面側には透光孔を介してＬＥＤが格子状に配置されている。
【００４８】
全面表示枠２８ｅを用いた位置表示灯１４は、防災機器収容箱１２の位置表示灯１４として広大な表示面積を確保するものであり、前方及び側方からの高い視認性が確保できる。また、位置表示灯１４の表示面積が広いことから、防災機器収納箱１０が設置された廊下等での夜間における補助照明としての機能も果たすことができる。
【００４９】
更に、発信機１２と音響孔１６の周囲に位置表示灯１２の全面表示枠２８ｅによる輪郭が付与されることで、新たな意匠性が生じ、その結果として意匠性を高めることかできる。それ以外の構成及び機能は図１の第１実施形態と同じになることから、その説明は省略する。
【００５０】
なお、音響孔開口を複数の音響孔に対応した位置に複数形成し、即ち、位置表示灯（全面表示枠）は音響孔配置領域も覆うようにして、位置表示灯１４の音響孔１６に対応する位置に表示灯側音響孔を複数設けるようにしても良く、このようにすれば一層広い表示面積を得ることができる。
【００５１】
［消火栓装置］
図９は発信機と音響孔を囲んで位置表示灯を配置した消火栓装置の実施形態を示した説明図である。
【００５２】
図９に示すように、本実施形態の消火栓装置５０は金属製の収納箱５２の前面に、開閉自在に消火栓扉５４を設け、また消火栓扉５４の上部に通報パネル５６を設け、通報パネル５６のカバープレート１０ａに発信機１２と音響孔１６を配置すると共に、発信機１６と音響孔１６の周囲を囲む額縁表示枠２８ｆを用いた位置表示灯１４を配置している。消火栓扉５４の内部にはノズル付きのホースが収納されている。
【００５３】
位置表示灯１４は、図５の防災機器収容箱１０に設けられた位置表示灯１４と基本的に同じであり、横長となる矩形の額縁表示枠２８ｆを備え、横並びに配置された発信機１２と音響孔１６の周囲を囲むことで、位置表示灯１４を構成している。
【００５４】
本実施形態においても、発信機１２と音響孔１６の周囲を囲む額縁表示枠２８ｆを備えた位置表示灯１４を設置したことで、消火栓装置５０を前方及び側方を含む遠方から見たときの視認性を高めることができる。また、発信機１２と音響孔１６の位置表示灯１４の額縁表示枠２８ｆにより囲むことで明確な輪郭が付与され、これにより意匠性を増すことができる。
【００５５】
なお、図９の通報パネル５６には、図１、図２、図６、図７又は図８の防災機器収容箱１０に設けたと同様の位置表示灯１４を設けても良い。
【００５６】
［本発明の変形例］
上記の防災機器収容箱の実施形態は、発信機と音響孔を縦並びに配置する場合を例にとっているが、横並びに配置するようにしても良い。なお、各実施形態で示した表示枠の外形は適宜変更して良い。
【００５７】
また、本発明は、機器収容箱、消火栓装置以外の防災装置にも適用できる。また、位置表示灯の他、例えば火災等の異常を表示する表示灯や、その他の表示灯であっても良い。
【００５８】
図１，２，５，６，７，９の実施形態において、図８の実施形態で説明したように、音響孔配置領域が表示灯の表示枠と重複することを妨げない。この場合も、例えば表示灯の表示枠の音響孔に対応する位置に表示灯側音響孔を設けるようにして良い。
【００５９】
また、上記の実施形態にあっては、位置表示灯の表示枠に拡散透光部材を使用しているが、例えば適宜の導光部材を使用しても良い。一例として導光部材は、例えばアクリル製の導光板の裏面に反射ドットを印刷しており、導光板のエッジから入射した光をアクリルの全反射を用いてアクリル全面に導き、反射ドットに当たった光がその進路を変え、全反射角よりも小さい角度になった光がアクリル前面から出てくることを利用して、導光板全面を均一に赤く光るようにするものが採用できる。その他、公知の照明、導光、透光、光拡散方法を適用し得る。
【００６０】
また、上記の実施形態は、額縁形や梯子状の表示枠をパネル面に沿ったフラットな表示面としているが、外周側に対し内周側を外方に僅かに突出した傾斜表示面又は湾曲表示面を持つように形成し、斜め横から視認性を高めるようにしても良い。
【００６１】
また、本発明は上記の実施形態に限定されず、その目的と利点を損なうことのない適宜の変形を含み、更に上記の実施形態に示した形状や数値による限定は受けない。
【符号の説明】
【００６２】
１０：防災機器収容箱
１０ａ：カバープレート
１０ｂ：本体
１２：発信機
１４：位置表示灯
１４ａ，４６：開口部
１４ｂ：隙間部
１４ｃ：切欠部
１６：音響孔
１６ａ：音響孔配置領域
１８：保護板
２０：押釦スイッチ
２２：保守扉
２４：音響装置
２６：透光孔
２８ａ，２８ｂ，２８ｆ：額縁表示枠
２８ｃ：格子表示枠
２８ｄ：ストレート表示枠
２８ｅ：全面表示枠
２８ｆ：切欠環状表示枠
３０ａ：発信機用開口
３０ｂ：音響孔用開口
３２：ＬＥＤ
３４：回路基板
５０：消火栓装置
５６：通報パネル
【図１】
2020119069.tif 000003
【図２】
2020119069.tif 000004
【図３】
2020119069.tif 000005
【図４】
2020119069.tif 000006
【図５】
2020119069.tif 000007
【図６】
2020119069.tif 000008
【図７】
2020119069.tif 000009
【図８】
2020119069.tif 000010
【図９】
2020119069.tif 000011